(57)【要約】      （修正有）【課題】特定エリアに入場した者は他の特定エリアには入場を禁止する如く、設定条件と入場者の情報に基づいて入退場の許可又は禁止する管理を行う入退場管理システムを提供する。【解決手段】ホスト装置１と、建物やフロアなど所定数ｍのグループ２を夫々区分する任意数ｎの管理エリア３内に設けられるゲート端末４及び、管理エリア３の出入口である電気錠付ゲート５とから構成されており、前記ホスト装置１は予め、各ゲート端末４に対して、ＩＤカード管理データ１４及び入退場制限データ１５を送信しておき、ゲート端末４で入場者がＩＤカード６を読込操作すると、カードリーダ読込ＯＫであれば、入退場許可判定部４６にて、読込んだＩＤコード６１とＩＤカード管理データ４２、入退場制限データ４３とを照合し入退場可否判定を行い、カード登録済、入退場可と判定されたら電気錠コントロール部４８を介して電気錠付ゲート５に開指令を出力し、扉を開ける。【選択図】図２
2007026396.tif 000002
【特許請求の範囲】
【請求項１】
ＩＤカードのＩＤコードを読み取った時、入退場を許可された者か否かを判定する入退場管理用の複数のゲート端末と、それらのゲート端末をネットワークを介して一元管理するホスト装置とを備えた入退場管理システムにおいて、複数の管理エリア内にゲート端末を設け、管理エリアの出入口に電気錠付ゲートを設け、ホスト装置と各ゲート端末とは通信ネットワークであるＬＡＮの中のイーサーネットを用いて接続されているものとし、前記ホスト装置はデータ格納部と、データ処理部と、送受信部とを備え、前記ゲート端末は送受信部と、データ格納部と、入退場許可判定部と、ＩＤカードリーダ部と、電気錠コントロール部とを備えたものとし、前記ホスト装置は予め、データ格納部内にＩＤカードマスタ情報、ゲート端末マスタ情報、及び入退場制限条件マスタを設定し、データ処理部にてＩＤカード管理データ及び入退場制限データを生成しておき、各ゲート端末に対して、ＩＤカード管理データ及び入退場制限データを送受信部にて送信し、前記ゲート端末はＩＤカード管理データ及び入退場制限データを送受信部にて受信し、ＩＤカード管理データ及び入退場制限データとしてデータ格納部に格納し、ゲート端末で入場者がＩＤカードを読込操作するとＩＤカードリーダ部を介してそのＩＤコードを読込し、入退場許可判定部にて、読込んだＩＤコードとＩＤカード管理データ、入退場制限データとを照合チェックし入退場可否判定を行い、入退場可と判定されたら電気錠コントロール部を介して電気錠付ゲートに開指令を出力し扉を開けるものとしたことを特徴とする入退場管理システム。
【請求項２】
前記ホスト装置はＩＤカードに登録されたＩＤコードと、関係者のＩＤカードマスタ情報、及び入退場する各管理エリアへの入退場制限条件マスタ等の情報を一元管理し、当該入場者のＩＤカードマスタ情報に加え、予め設定しておいた入退場制限条件マスタをもとに、前記ゲート端末から収集した入退場実績データを前記データ処理部にて逐一繁栄した入退場制限データを生成更新して前記ゲート端末に配信し、照合チェックすることにより、通常入場可能な関係者についても特定管理エリアに入場した者は、他の特定管理エリアには入場できない入場制限を設け各管理エリアの入退場管理を行うものとした請求項１記載の入退場管理システム。
【請求項３】
前記ホスト装置は複数のゲート端末に対し、夫々ゲート端末ごとに蓄積データ有無問合せ、蓄積データ読出し、実績データ書込み、入退場制限要否判定、入退場制限データ更新、入退場制限データ配信等と所定処理時間をかけて順次ポーリング処理するものとした請求項１又は２記載の入退場管理システム。
【請求項４】
複数の管理エリア内に前記ゲート端末を設け、ゲート端末を総台数と処理内容により適正なグループに分割して順次通信処理を行うこととし、夫々のグループ毎にゲート端末に対してソフト的にイーサネットポートを設け、それぞれのゲート端末に対して同時に通信することによりトータル通信時間を改善するとともに、ソフト的にゲート端末に対応したイーサネットポートをグループ化し、グループ単位で通信をすることにより通信全体のパフォーマンスを保つ仕組みであり、夫々ゲート端末ごとに蓄積された入退場実績データ読込、入退場実績データ書込み、入退場制限データ抽出、入退場制限データ更新、最新の入退場制限データを編集し、該当するゲート端末へ配信するものとした請求項１又は２記載の入退場管理システム。
【発明の詳細な説明】
【技術分野】
【０００１】  本発明は、ビル、工場、研究所や病院などにおいて、部外者の侵入防止はもとより、関係者においても各種管理のため、例えば特定エリアに入場した者は他の特定エリアには入場を禁止する如く、設定条件と入場者の情報に基づいて入退場の許可又は禁止する管理を行う入退場管理システムに関するものである。
【技術背景】
【０００２】  従来の入退場管理用のホスト装置と、入退場管理対象である複数の管理エリアの通行口付近に設置され、このホスト装置と通信回線を介して接続され、ホスト装置から送信される情報に基づいて入退場を許可又は禁止するゲート端末とからなる一般的な入退場管理システムにおいて、予め取り決めした管理エリアに対して入退場を許可する者をＩＤコードと紐付けして登録しておき、ゲート端末でＩＤカードのＩＤコードを読み込んだ時照合チェックを行い、入退場の可否を判定するものがある。
【０００３】  また、作業者が保持する記憶媒体から読取った情報に基づいて特定エリアへの入室を制限する入出管理装置として、例えば複数の特定エリアの入口に各々設けられ作業者の作業項目毎の作業手順に応じた複数の特定エリアへの入室の順序情報を記憶した記憶媒体から作業者の入室の順序情報を読取る手段と、この読取り手段により読取った入室の順序情報に基づき入室の順序が正しいか否かを判別する手段と、入室の順序が正しいと判別された場合は特定エリアへの入室を許可する手段と、入室の順序が正しくないと判別された場合は特定エリアへの入室を制限する手段と、特定エリアへの入室を許可した場合は上記複数の特定エリアへの入室の順序情報を更新する手段とを具備し、各特定エリアの入室が定められた入室順序でしか認められず、作業終了後一旦特定エリアから出た後再び入室するのを防ぐような保安性を考慮した入退室管理装置がある。
【特許文献１】  特許第３４１７６１４号公報、
【発明の開示】
【発明が解決しようとする課題】
【０００４】  ビルや病院や、食品、医薬品等、各種製品を製造する工場や研究所などにおいては、部外者の侵入防止はもとより関係者においても衛生管理、品質管理や特定物質による汚染防止等のため特定場所への入退場の際は、事前に決めた制約条件を考慮してその入退場を管理する必要が生じてくる。前記従来の一般的な入退場管理システムでは、予め取り決めした管理エリアに対して入退場を許可する者をＩＤコードと紐付けして登録しておき、入退場管理端末でＩＤカードのＩＤコードを読み込んだ時照合チェックを行い、入退場の可否を判定していたが、その入退場者の入退場履歴を考慮した可否判断は行っておらず、例えば衛生管理を必要とする場合に入退場者を介して特定管理エリアで付着した物質を他の特定管理エリアに運んでしまうような危険性も否定できなかった。【０００５】  また、前記特許第３４１７６１４号公報に示すものはホスト装置とゲート端末とＩＣカードに相当するものから構成され、複数の特定エリアへの入室が定められた入室順序で認めるが、各特定エリアの入室が定められた入室順序でしか認められず、一旦特定エリアから出た後再び同じ特定エリアへ入室するのは認めないものであり、前記従来例と同じくその入退場者の入退場履歴を考慮した可否判断は行っておらず、衛生管理を必要とする場合に入退場者を介して特定管理エリアで付着した物質を他の特定管理エリアに運んでしまうような危険性も否定できない。
【課題を解決するための手段】
【０００６】  上記の課題を解決するために、本発明はＩＤカードのＩＤコードを読み取った時、入退場を許可された者か否かを判定する入退場管理用のゲート端末と、そのゲート端末をネットワークを介して一元管理するホスト装置とを備えた入退場管理システムにおいて、複数の管理エリア内にゲート端末を設け、管理エリアの出入口に電気錠付ゲートを設け、前記ホスト装置と各ゲート端末とは通信ネットワークであるＬＡＮの中のイーサーネットを用いて接続されているものとし、前記ホスト装置はデータ格納部と、データ処理部と、送受信部とを備え、前記ゲート端末は送受信部と、データ格納部と、入退場許可判定部と、ＩＤカードリーダ部と、電気錠コントロール部とを備えたものとし、前記ホスト装置は予め、データ格納部内にＩＤカードマスタ情報、ゲート端末マスタ情報、及び入退場制限条件マスタを設定し、データ処理部にてＩＤカード管理データ及び入退場制限データを生成しておき、各ゲート端末に対して、ＩＤカード管理データ及び入退場制限データを送受信部にて送信し、前記ゲート端末はＩＤカード管理データ及び入退場制限データを送受信部にて受信し、ＩＤカード管理データ及び入退場制限データとしてデータ格納部に格納し、ゲート端末で入場者がＩＤカードを読込操作するとＩＤカードリーダ部を介してそのＩＤコードを読込し、入退場許可判定部にて、読込んだＩＤコードとＩＤカード管理データ、入退場制限データとを照合チェックし入退場可否判定を行い、入退場可と判定されたら電気錠コントロール部を介して電気錠付ゲートに開指令を出力し扉を開けるものとした。【０００７】  また、前記ホスト装置はＩＤカードに登録されたＩＤコードと、関係者のＩＤカードマスタ情報、及び入退場する各管理エリアへの入退場制限条件マスタ等の情報を一元管理し、当該入場者のＩＤカードマスタ情報に加え、予め設定しておいた入退場制限条件マスタをもとに、前記ゲート端末から収集した入退場実績データを前記データ処理部にて逐一繁栄した入退場制限データを生成更新して前記ゲート端末に配信し、照合チェックすることにより、通常入場可能な関係者についても特定管理エリアに入場した者は、他の特定管理エリアには入場できない入場制限を設け各管理エリアの入退場管理を行うものとするとよい。【０００８】  また、前記ホスト装置は複数のゲート端末に対し、夫々ゲート端末ごとに蓄積データ有無問合せ、蓄積データ読出し、実績データ書込み、入退場制限要否判定、入退場制限データ更新、入退場制限データ配信等と所定処理時間をかけて順次ポーリング処理するものとすると、例えば特定エリアに入場した者は他の特定エリアには入場を禁止する如く、設定条件と入場者の情報に基づいて入退場の許可又は禁止する管理を行うことができ、これはゲート端末の数が少ない小規模の入退場管理システムに適している。【０００９】  また、前記ホスト装置はゲート端末を総台数と処理内容により適正なグループに分割して順次通信処理を行うこととし、夫々のグループ毎にゲート端末に対してソフト的にイーサネットポートを設け、それぞれのゲート端末に対して同時に通信することによりトータル通信時間を改善するとともに、ソフト的にゲート端末に対応したイ���サネットポートをグループ化し、グループ単位で通信をすることにより通信全体のパフォーマンスを保つ仕組みであり、夫々ゲート端末ごとに蓄積された入退場実績データ読込、入退場実績データ書込み、入退場制限データ抽出、入退場制限データ更新、最新の入退場制限データを編集し、該当するゲート端末へ配信するものとするとよい。
【発明の効果】
【００１０】  本発明は、以上の構成としたので、請求項１ではカード登録済、入退場可と判定されたら電気錠コントロール部を介して電気錠付ゲートに開指令を出力し、ゲート端末に入退場可と表示し、扉を開け、不可と判定されたら、その時点でゲート端末の画面にカード読取りエラー、登録されていぬ、入退場制限など夫々エラーメッセージを表示し警報を出力するもので、特定エリアに入場した者は他の特定エリアには入場を禁止する如く、設定条件と入場者の情報に基づいて入退場の許可又は禁止する管理を行うことができる。【００１１】  また、請求項２では、前記ＩＤカード管理データ及び入退場制限データによるチェックに加え、ある管理エリアに入場した者はその他の指定する管理エリアに入場出来ないというインターロック情報を設定し記憶しておき、例えば衛生管理を必要とする場合に入退場者を介して特定管理エリアで付着した物質を他の特定管理エリアに運んでしまうような危険性を防止することが出来、また、その入退場の履歴データを記録し、製造現場における人の入退場トレーサビリティデータを提供することが出来る。【００１２】  また、請求項３では、設定条件と入場者の情報に基づいて入退場の許可又は禁止する管理を行い所定処理時間をかけて順次ポーリング処理するので、例えば特定エリアに入場した者は他の特定エリアには入場を禁止することができ、ゲート端末の数が少ない小規模の入退場管理システムに適している。【００１３】  また、請求項４では、ホスト装置から複数ゲート端末に対して新手法による通信方法を採用したことにより、端末の増加に対する遅れ時間の比例的増大を無くし、大規模システムの入退場制限システムの実現を果たす入退場管理システムが提供出来る。
【発明を実施するための最良の形態】
【００１４】  以下本発明の一実施例を図により説明する。図１は本発明の一実施形態に係る入退場管理システムの構成図であり、図２は同入退場管理システムのブロック回路図であり、図３は同入退場管理システムの実施例１の処理方式を示すフロー図であり、図４は同じくゲート端末の処理フロー図であり、図５は同入退場管理システムの実施例２のグループ化による処理方式を示すフロー図であり、図６は同じくグループ内の処理方式を示すフロー図である。【００１５】  図１及び図２において、入退場管理システムは入退場管理用のホスト装置１と、建物やフロアなど所定数ｍの管理対象のグループ２（２．１，２．２，〜２．ｍ）を夫々区分する任意数ｎ（ｎ１，ｎ２，〜ｎｍ）の管理エリア３（３．１，３．２，〜３．ｎ、の如く以下代表してグループ２．１を構成するものの記号にて記す）内に設けられる入退場管理端末としてのゲート端末４（４．１，４．２，〜４．ｎ）及び、管理エリア３の出入口である電気錠付ゲート５（５．１，５．２，〜５．ｎ）とから構成されており、６は入場者が携帯するＩＤカードである。ホスト装置１と各ゲート端末４とは通信ネットワークであるＬＡＮの中のイーサーネットを用いて接続されている。【００１６】  前記入退場管理用のホスト装置１は入退場管理用のゲート端末４に対して入退場許可ＩＤ情報や入退場不可ＩＤ情報、入退場情報などを送る際に各ゲート端末４に対して固有の識別番号を与え、その識別番号を随時に送受信を行い、情報処理をするものであり、ホスト装置１とゲート端末４と電気錠付ゲート５とＩＤカード６からなるブロック構成を示す図２において、ホスト装置１は予め、データ格納部１０内にＩＤカードマスタ情報１１（ＩＤコード、氏名、所属ｅｔｃ）、ゲート端末マスタ情報１２（端末番号、設置場所、接続アドレスｅｔｃ）、及び入退場制限条件マスタ１３（入退場先、入退場可否ｅｔｃ）を設定し、データ処理部１８にてＩＤカード管理データ１４及び入退場制限データ１５を生成しておく。システム起動時、ホスト装置１は各ゲート端末４に対して、ＩＤカード管理データ１４及び入退場制限データ１５を送受信部１７にて送信しておく。前記ゲート端末４は前記ＩＤカード管理データ１４及び入退場制限データ１５を送受信部４１にて受信し、ＩＤカード管理データ４２及び入退場制限データ４３としてデータ格納部４５に格納する。【００１７】  次に、ゲート端末４における処理フローを説明する。ゲート端末４で入場者がＩＤカード６を読込操作するとＩＤカードリーダ部４７を介してそのＩＤコード６１を読込し、カードリーダ読込ＯＫであれば、入退場許可判定部４６にて、読込んだＩＤコード６１とＩＤカード管理データ４２、入退場制限データ４３とを照合チェックし入退場可否判定を行い、カード登録済、入退場可と判定されたら電気錠コントロール部４８を介して電気錠付ゲート５に開指令を出力し、ゲート端末４の画面（図示略）に入退場可と表示し、扉を開ける。不可と判定されたら、その時点でゲート端末４の画面にカード読取りエラー、登録されていぬ、入退場制限など夫々エラーメッセージを表示し警報を出力する。【００１８】  前記ホスト装置１は、グループ編成されたゲート端末４（４．１��４．２，〜４．ｎ）に対してグループ編成毎に蓄積された入退場実績データ４４を問合せし、一括収集して入退場実績ＤＢ１６に格納する。データ処理部１８は一括収集した入退場実績データ４４と入退場制限条件マスタ１３より、入退場制限データ１５を更新する。更新した入退場制限データ１５より、データ更新が必要なゲート端末４を抽出し、該当するゲート端末４に最新の入退場制限データ１５を配信する。【００１９】  本発明では、前記ＩＤカード管理データ１４及び入退場制限データ１５によるチェックに加え、ある管理エリア３に入場した者はその他の指定する管理エリア３に入場出来ないというインターロック情報を設定し記憶しておき、当該入退場者の各管理エリア３への入退場履歴である入退場実績データ４４をリアルタイムにホスト装置１で収集して入退場実績ＤＢ１６に格納し、入退場実績データ４４と入退場制限条件マスタ１３より、更新した入退場制限データ１５より設定したインターロック情報をもとに生成した入退場制限情報を各ゲート端末４に伝送することにより入退場を制限し、管理するシステムとする。【００２０】  前記ホスト装置１はＩＤカード６に登録されたＩＤコード６１と関係者のマスターデータ、及び入退場する各管理エリア２への入場条件等の情報を一元管理し、当該入場者のマスターデータに加え、予め設定しておいた入退場制限条件と入退場履歴データを照合チェックすることにより、通常入場可能な関係者についても特定管理エリア２に入場した者は、他の特定管理エリア２には入場できない入場制限を設け各管理エリア２の入退場管理を行うことを目的とし、ＯＫの時は施錠を解除して入場を許可、ＮＧの時は施錠状態のままとして警報を発報し、例えば衛生管理を必要とする場合に入退場者を介して特定管理エリア２で付着した物質を他の特定管理エリア２に運んでしまうような危険性を防止することが出来、また、その入退場の履歴データを記録し、製造現場における人の入退場トレーサビリティデータを提供することが出来る。
【実施例１】
【００２１】  入退場管理システムの実施例１の処理方式を示すフロー図である図３では、ホスト装置１はｎ個のゲート端末４に対し、ゲート端末（１）〜ゲート端末（ｎ）へと、夫々ゲート端末４ごとに蓄積データ有無問合せ、蓄積データ読出し、実績データ書込み、入退場制限要否判定、入退場制限データ更新、入退場制限データ配信等と処理時間（ｔ１）〜（ｔｎ）をかけて順次ポーリング処理するもので、図４に示す如く、ゲート端末４では、前述の如くカードリーダ読込ＯＫ、カード登録済で、入退場制限されていなければ電気錠開となり、入退場してくださいと表示され、入退場出来るが、カードリーダ読込ＮＯであれば読込エラー表示、カード登録未であれば未登録表示、入退場制限されていれば入退場制限表示をする。【００２２】  上記により、例えば特定エリア（２）に入場した者は他の特定エリア（４）には入場を禁止する如く、前記の如く設定条件と入場者の情報に基づいて入退場の許可又は禁止する管理を行うことができる。この実施例はゲート端末４の数が少ない小規模の入退場管理システムに適している。この場合全体の処理はゲート端末４の数に比例して時間が増加する。
【実施例２】
【００２３】  次にゲート端末４の数が多い大規模の入退場管理システムに適しているものとして、本発明の実施例２のグループ化による処理方式を示すフロー図である図４では、例えば建物やフロアなど所定数ｍの管理対象の各グループ２（２．１，２．２，〜２．ｍ）において、順次夫々ゲート端末通信処理を行うことを示し、同じくグループ内の処理方式を示すフロー図である図６において、グループ２を構成する所定数ｎの管理エリア３内に設けられる入退場管理端末としての所定数ｎの各ゲート端末４における処理フローを示す。【００２４】  ホスト装置１はゲート端末４を総台数と処理内容により適正なグループ２に分割して通信処理を行うこととし、夫々のグループ２毎にゲート端末４に対してソフト的にイーサネットポートを設け、それぞれのゲート端末４に対して同時に通信することにより従来のポーリング方式から劇的にトータル通信時間を改善するが、台数を無制限に増加させるとメモリの消耗などによる弊害が発生するおそれがあるので、ソフト的にゲート端末４に対応したイーサネットポートをグループ化し、グループ単位で通信をすることにより通信全体のパフォーマンスを保つ仕組みであり、夫々ゲート端末４ごとにイーサネットポート接続、蓄積データ読込、実績データ書込み、入退場制限データ抽出、入退場制限データ更新、入退場制限データ配信要であれば夫々のゲート端末４へ配信し、イーサネットポート接続解除する。【００２５】  また、ホスト装置１は分割したグループ２毎に処理を行う時、そのグループ２に属するゲート端末４全てに対しネットワークポートを確立し、同時に問合せ通信を行い、蓄積された入退場実績データ４４を読込収集する。収集した全ゲート端末４の入退場実績データ４４はホスト装置１の内部処理にて一括処理し、入退場実績データ４４として入退場実績ＤＢ１６に格納し、同時にその入退場実績データ４４を展開して入退場制限情報を更新する。最新の入退場制限情報をもとに、グループ２内の全ゲート端末４に対する入退場制限データ１５を編集し、該当するゲート端末４に対し同時にその入退場制限データ１５を配信する。【００２６】  この一連の各ゲート端末４との通信、およびホスト装置１内の内部処理をグループ２毎に同期して行うことによりイーサネットのポート接続／切断処理、通信トラフィックの削減、ホスト装置１のデータベースアクセス処理の効率化がはかれ、大幅な処理時間の短縮を実現することが出来る。ホスト装置１から複数のゲート端末４に対して新手法による通信方法を採用したことにより、端末の増加に対する遅れ時間の比例的増大を無くし、大規模システムの入退場制限が可能になり、結果、作業員の誤移動に伴う、製品、製造設備に対する汚染防止が図れるシステムの実現を果たせる。
【図面の簡単な説明】
【００２７】
【図１】  本発明の一実施形態に係る入退場管理システムの構成図である。
【図２】  同じくブロック回路図である。
【図３】  同入退場管理システムの実施例１の処理方式を示すフロー図である。
【図４】  同じくゲート端末の処理フロー図である。
【図５】  同入退場管理システムの実施例２のグループ化による処理方式を示すフロー図である。
【図６】  同じくグループ内の処理方式を示すフロー図である。
【符号の説明】
【００２８】１  ホスト装置
１０  データ格納部
１１  ＩＤカードマスタ情報
１２  ゲート端末マスタ情報
１３  入退場制限条件マスタ
１４  ＩＤカード管理データ
１５  入退場制限データ
１６  入退場実績ＤＢ
１７  送受信部
１８  データ処理部
２  グループ
３  管理エリア
４  ゲート端末
４１  送受信部
４２  ＩＤカード管理データ
４３  入退場制限データ
４４  入退場実績データ
４５  データ格納部
４６  入退場許可判定部
４７  ＩＤカードリーダ部
４８  電気錠コントロール部
５  電気錠付ゲート
６  ＩＤカード
６１  ＩＤコード
【図１】
2007026396.tif 000003
【図２】
2007026396.tif 000004
【図３】
2007026396.tif 000005
【図４】
2007026396.tif 000006
【図５】
2007026396.tif 000007
【図６】
2007026396.tif 000008